(57)【要約】      （修正有）【課題】抗菌性を有する真珠パウダーを含む人工爪組成物（ジェルネイル組成物）が収容された人工爪組成物用容器を提供する。【解決手段】紫外線照射によって硬化する人工爪を構成する人工爪組成物１０が収容された容器１００であって、人工爪組成物１０を保持する容器本体部２０と、容器本体部２０に保持された人工爪組成物１０を爪に塗布する塗布部３０とを備え、人工爪組成物１０は、紫外線硬化樹脂と、紫外線硬化樹脂に分散された真珠パウダーとを含有している。【選択図】図１
0003173169.tif 000002
【実用新案登録請求の範囲】
【請求項１】
紫外線照射によって硬化する人工爪を構成する人工爪組成物が収容された容器であって、
前記人工爪組成物を保持する容器本体部と、
前記容器本体部に保持された前記人工爪組成物を爪に塗布する塗布部と
を備え、
前記人工爪組成物は、紫外線硬化樹脂と、前記紫外線硬化樹脂に分散された真珠パウダーとを含有している、容器。
【請求項２】
前記容器本体部は、ビン形状を有しており、
前記容器本体部は、プラスチック材料から構成されており、
前記容器本体部の上部には、前記人工爪組成物を導入可能な開口部を有するビン口部が形成されており、
前記ビン口部には、前記開口部を塞ぐ蓋部が取り付けられており、
前記蓋部には、前記人工爪組成物を塗布する前記塗布部が取り付けられている、請求項１に記載の容器。
【請求項３】
前記塗布部は、前記塗布部を支持する支持棒によって前記蓋部に固定されており、
前記ビン口部の外面と、前記蓋部のうちの前記ビン口部の外面に対応する部位には、それぞれネジ部が形成されている、請求項２に記載の容器。
【請求項４】
前記容器本体部の内部の底部には、真珠が配置されている、請求項２または３に記載の容器。
【請求項５】
前記容器は、ペン形状を有しており、
前記容器本体部は、円筒形状を有しており、
前記塗布部は、前記容器本体部から延びた円錐部の先端に配置されている、請求項１に記載の容器。
【請求項６】
前記人工爪組成物に含有されている前記真珠パウダーは、真珠を粉砕した粉末、および、真珠母貝を粉砕した粉末からなる群から選択された少なくとも一方である、請求項１から５の何れか１つに記載の容器。
【請求項７】
前記人工爪組成物は、抗菌効果を有する材料である、請求項１から６の何れか１つに記載の容器。
【請求項８】
前記人工爪組成物は、酸化チタンの粉末、パワーストーンの粉末、銀イオンからなる群から選択された少なくとも一つを含有している、請求項１から７の何れか１つに記載の容器。
【考案の詳細な説明】
【技術分野】
【０００１】
本考案は、人工爪組成物を収容する容器に関する。特に、紫外線照射によって硬化する人工爪（いわゆるジェルネイル）を構成する人工爪組成物が収容された容器（人工爪組成物用容器）に関する。
【背景技術】
【０００２】
近年、手や足の爪にデザインを施すネイルアートに対する人気が高まっており、爪（自爪）に合成樹脂製の人工爪（付け爪）を形成する技術も種々提案されている。特に最近、ウレタン系樹脂やアクリル系樹脂等と光重合性モノマーを含むジェル状の人工爪組成物（ジェルネイル組成物）を爪に塗布した後、紫外線を照射して硬化させた人工爪（ジェルネイル）が、仕上がりがクリアーである等の理由から注目を集めている（例えば、特許文献１）。
【０００３】
また、ジェルネイルは、マニキュアなどと比較して、爪との密着性が良く長持ちするという点でも人気がある。すなわち、マニキュアは日常生活で数日にて爪から剥がれたりするのに対して、ジェルネイルは数週間持つものが多く人気がある。
【先行技術文献】
【特許文献】
【０００４】
【特許文献１】特開２００９−１２６８３３号公報
【考案の概要】
【考案が解決しようとする課題】
【０００５】
ジェルネイルには、パール色（真珠色）のものが存在するが、実際に、ジェルネイル組成物に真珠が含有されているわけではなく、顔料によってパールのような色が発するようになっているいわゆる疑似パールだけである。本願考案者は、ジェルネイル組成物に真珠パウダーや真珠母貝パウダーを混入することにより本物のパール又は真珠や真珠母貝を配合しているという事実を表現でき、これを配合することにより機能性も向上できることを発見し、その結果、本考案を想到するに至った。
【０００６】
本考案はかかる点に鑑みてなされたものであり、その主な目的は、新規な人工爪組成物（ジェルネイル組成物）が収容された容器（人工爪組成物用容器）に関する。
【課題を解決するための手段】
【０００７】
本考案に係る容器は、紫外線照射によって硬化する人工爪を構成する人工爪組成物が収容された容器であり、前記人工爪組成物を保持する容器本体部と、前記容器本体部に保持された前記人工爪組成物を爪に塗布する塗布部とを備え、前記人工爪組成物は、紫外線硬化樹脂と、前記紫外線硬化樹脂に分散された真珠パウダーとを含有している。
【０００８】
ある好適な実施形態において、前記容器本体部は、ビン形状を有しており、前記容器本体部は、プラスチック材料から構成されており、前記容器本体部の上部には、前記人工爪組成物を導入可能な開口部を有するビン口部が形成されており、前記ビン口部には、前記開口部を塞ぐ蓋部が取り付けられており、前記蓋部には、前記人工爪組成物を塗布する前記塗布部が取り付けられている。
【０００９】
ある好適な実施形態において、前記塗布部は、前記塗布部を支持する支持棒によって前記蓋部に固定されており、前記ビン口部の外面と、前記蓋部のうちの前記ビン口部の外面に対応する部位には、それぞれネジ部が形成されている。
【００１０】
ある好適な実施形態において、前記容器本体部の内部の底部には、真珠が配置されている。
【００１１】
ある好適な実施形態において、前記容器は、ペン形状を有しており、前記容器本体部は、円筒形状を有しており、前記塗布部は、前記容器本体部から延びた円錐部の先端に配置されている。
【００１２】
ある好適な実施形態において、前記人工爪組成物に含有されている前記真珠パウダーは、真珠を粉砕した粉末、および、真珠母貝を粉砕した粉末からなる群から選択された少なくとも一方である。
【００１３】
ある好適な実施形態において、前記人工爪組成物は、抗菌効果を有する材料である。
【００１４】
ある好適な実施形態において、前記人工爪組成物は、酸化チタンの粉末、パワーストーンの粉末、銀イオンからなる群から選択された少なくとも一つを含有している。
【考案の効果】
【００１５】
本考案によれば、人工爪組成物を保持する容器本体部と、人工爪組成物を塗布する塗布部とを備え、人工爪組成物が紫外線硬化樹脂に分散された真珠パウダーを含有しているので、塗布部によって、真珠パウダーからなる真珠色の人工爪（ジェルネイル）を形成することができる。そして、真珠パウダーが分散された紫外線硬化樹脂からなる人工爪（ジェルネイル）は抗菌性を示すので、人工爪（ジェルネイル）を形成した状態で生じる雑菌の繁殖やカビの発生を抑制することができる。
【図面の簡単な説明】
【００１６】
【図１】（ａ）および（ｂ）は、本考案の実施形態に係る人工爪組成物１０を収容する容器１００の構成を示す斜視図である。
【図２】（ａ）から（ｃ）は、本考案の実施形態に係る人工爪組成物１０を塗布して人工爪を形成する工程を説明するための図である。
【図３】本考案の実施形態に係る人工爪組成物１０を収容する容器１００の構成を示す図である。
【図４】本考案の実施形態に係る人工爪組成物１０を収容する容器１００の構成を示す図である。
【考案を実施するための形態】
【００１７】
本願考案者は、紫外線照射によって硬化する人工爪（ジェルネイル）において爪水虫や雑菌繁殖、カビの発生などが問題になっている点についてその解決に望んだ。このようなものの発生の理由の一つは、自爪とジェルネイルとの間に隙間が生じ、そこに雑菌が繁殖することによるものと考えられております。一方で、ジェルネイルの業界では、カビが生えにくい構造のジェルネイルなどはあるものの、抗菌素材のジェルネイルは販売ないし普及されていないのが実情である。ジェルネイルの業界では、実際には、ジェルネイルをつける前にきれいにする、使用する器具を清潔にする、カビが生えにくい構造のものを使用する、爪水虫の治療薬などがある程度であった。
【００１８】
本願考案者は、紫外線硬化樹脂に真珠パウダーを分散させた天然真珠成分の真珠カラーのジェルネイルを開発しているときに、このジェルネイルが抗菌効果を持つことを見いだした。天然素材からなる真珠パウダーを紫外線硬化樹脂に分散させた人工爪組成物（ジェルネイル組成物）が抗菌効果を持つことは、人体に悪影響を与えるような強力な抗菌剤を用いずに、かつ、ネイルアート的にも優れた天然真珠カラーを持った抗菌性を有するジェルネイルを構築することとなる。さらに、真珠パウダーを含有する人工爪組成物（ジェルネイル組成物）は、化学物質（揮発性有機化合物）の量を低減できる効果もあり、したがって、本考案の容器から外に拡散する揮発性物質（ＶＯＣ）の量を減らすことができ、施術者及び／又は使用者に対する臭いの不快感やアレルギーの可能性を低減させることができる。また、真珠及び真珠母貝は天然のカルシウムであるため、その配合量を増やすほど爪に対する悪影響は低減し、従来のジェルネイルよりも爪が傷みにくくなることが低減できる。
【００１９】
なお、特開２０１０−１９５６８９号公報には、有機溶剤を使用しない無臭で安全なマニキュア液が提案されている。このマニキュア液は、有機溶剤を用いずに水系エマルジョンに貝殻（ホタテ貝）の微粉末が混合されたものである。しかしながら、本願考案者が、このマニキュア液を実際に使用してみたところ、真珠色をしているというよりも、透明な液体を塗布しているようなものであり、また、耐久性についても二日と持たないものであった。加えて、この公報は、マニキュア液のことを開示しているが、ジェルネイルについての言及や示唆はないものである。
【００２０】
本考案はこのような観点に基づいて創出されたものである。以下、図面を参照しながら、本考案の実施の形態を説明する。以下の図面においては、説明の簡潔化のため、実質的に同一の機能を有する構成要素を同一の参照符号で示す。なお、本考案は以下の実施形態に限定されない。
【００２１】
図１（ａ）および（ｂ）を参照しながら、本考案の実施形態に係る人工爪組成物用の容器（ジェルネイル用容器）１００について説明する。図１（ａ）および（ｂ）は、本実施形態の容器１００の構成を示す図である。図１（ａ）は、蓋部３５を外した様子を示す図であり、一方、図１（ｂ）は、蓋部３５を締めた様子を示す図である。
【００２２】
本実施形態の容器（ジェルネイル用容器）１００は、人工爪を構成する人工爪組成物が収容された容器である。本実施形態における「人工爪」は、紫外線照射または可視光線によって硬化するジェルネイルである。また、本実施形態の人工爪組成物は、紫外線照射によって硬化することによって人工爪（ジェルネイル）へと変化する組成物（ジェルネイル組成物）である。「ジェルネイル」は、紫外線または可視光線で硬化する光硬化樹脂（例えば、アクリル系樹脂）のジェルを用いて作られた人工爪であり、爪に塗布したジェルネイル組成物に紫外線ランプまたはＬＥＤランプの光を照射することによって形成されるものである。
【００２３】
本実施形態の容器１００は、人工爪組成物（ジェルネイル組成物）１０を保持する容器本体部２０と、容器本体部２０に保持された人工爪組成物１０を爪に塗布する塗布部３０とから構成されている。また、本実施形態の人工爪組成物１０は、紫外線または可視光線によって硬化する樹脂（紫外線硬化樹脂）と、その樹脂に分散された真珠パウダーとを含有している。なお、本実施形態では、紫外線で硬化するものだけでなく可視領域の光線で硬化するものも含めて紫外線硬化樹脂と称する。
【００２４】
図示した容器本体部２０は、ビン形状を有している。容器本体部２０の上部には、人工爪組成物１０を導入可能な開口部２５を有するビン口部２４が形成されている。また、ビン口部２４には、開口部２５を塞ぐ蓋部３５が取り付けられている。本実施形態の容器本体部２０は、プラスチック材料（例えば、高密度ポリエチレン、ポリプロピレン、ポリエチレンテレフタレート（ＰＥＴ）など）、または、ガラスから構成されている。破損しないという点からは、容器本体部２０は、プラスチック材料から構成されていることが好ましい。
【００２５】
本実施形態の構成では、人工爪組成物１０を塗布する塗布部３０は、蓋部３５に取り付けられている。塗布部３０は、ハケまたは筆ペンのような部材である。図示した例では、塗布部３０は、蓋部３５の天面の内部から延びた支持棒３２の先端に取り付けられている。すなわち、塗布部３０は、塗布部３０を支持する支持棒３２によって蓋部３５に固定されている。したがって、蓋部３５を手で持つことにより、支持棒３２の先端に位置する塗布部３０を爪に接触させることによって、爪にジェルネイルを塗布することができる。
【００２６】
本実施形態の容器１００では、ビン口部２４の外面と、蓋部３５のうちのビン口部２４の外面に対応する部位３６には、それぞれネジ部（２６、３６）が形成されている。したがって、蓋部３５の支持棒３２をビン口部２４の開口部２５に挿入した後、蓋部３５をビン口部２４に締めることによって、図１（ｂ）に示すように、容器１００（または容器本体部２０）を密閉状態にすることができる。この密閉状態であれば、容器１００の移動時において、容器本体部２０内の人工爪組成物（ジェルネイル組成物）１０が外部に漏れ出すことはない。
【００２７】
図１（ｂ）に示した状態では、蓋部（塗布器具）３５の塗布部（またはハケ部分）３０は、容器本体部２０の内部の底面またはその付近に位置して、その塗布部３０は、人工爪組成物１０によって浸されることになる。蓋部（塗布器具）３５によって人工爪組成物１０を爪に塗布する場合には、図１（ｂ）に示した状態から、蓋部３５を取り外して、図１（ａ）に示した状態して、その塗布部３０に付与された人工爪組成物１０を爪に塗布すればよい。
【００２８】
本実施形態の人工爪組成物（ジェルネイル組成物）１０は、上述したように、紫外線（または可視光線）によって硬化する紫外線硬化樹脂と、紫外線硬化樹脂に分散された真珠パウダーとを含有している。ある好適な例では、紫外線硬化樹脂を溶解させるために使用されている溶媒以外には、有機溶媒（具体的には、ネイル業界で通常使用される特定５４種の有機溶剤）は含まれておらず、人工爪組成物１０は、紫外線硬化樹脂と真珠パウダーのみから構成されている。
【００２９】
人工爪組成物（ジェルネイル組成物）１０を構成する材料の紫外線硬化樹脂は、例えば、ウレタンアクリル樹脂などのジェル状の樹脂であり、紫外線ランプやＬＥＤランプの光を照射することによって当該ジェルを硬化させることができる。具体的な紫外線硬化樹脂の例としては、ウレタン樹脂またはアクリル樹脂を挙げることができる。なお、ジェルネイルとは、流動性のある合成樹脂（粘液状）を爪に塗布し紫外線（ＵＶ−Ａ）や可視光線（Ｖｉｓ）を照射して硬化する光重合（フォトポリマリゼーション）反応を、ネイル材料として爪に利用したものである。本実施形態では、紫外線硬化樹脂と称しているが、厳密に紫外線で硬化するものだけでなく、可視領域の光線で硬化するものも紫外線硬化樹脂と称する場合がある。
【００３０】
人工爪組成物１０に紫外線（または、紫外−可視光線）を照射することによって、人工爪組成物１０が光重合（フォトポリマリゼーション）して硬化する。人工爪組成物１０の主要な成分は、紫外線硬化樹脂であり、典型的には、ウレタン樹脂やアクリル樹脂を使用する。具体的にはウレタンアクリレートオリゴマー、エポキシアクリレートオリゴマー、メタクリル酸エステルモノマー・アクリル酸オリゴマー・光重合開始剤（フォトイニシエーター）が一体となったものである。光重合開始剤（フォトイニシエーター）は、ジェルネイルのための重合開始剤であり、光（紫外線、可視光線）を吸収することによりラジカル（不対電子）を発生し、重合の起点となる成分である。
【００３１】
本実施形態の真珠パウダーは、真珠の粒子または真珠母貝の粒子である。真珠の粒子からなる真珠パウダーは、真珠を微細粒子に粉砕する機械を使用して作製することができる。また、真珠母貝（例えば、アコヤ貝）の粒子（微粉末）は、例えば、真珠母貝を粉砕することによって作製することができる。真珠母貝は、真珠または養殖真珠を生成する貝であり、殻の内側は美しい真珠光沢を呈するものである。真珠母貝としては、例えば、アコヤ貝、イケチョウ貝、クロチョウ貝、シロチョウ貝、マベ貝などを挙げることができる。真珠パウダーの粒子は、あくまで例示であるが、平均粒径１μｍ〜８００μｍ（一例では、３００μｍ以下、あるいは、３μｍ〜３００μｍ、または３μｍ程度）であり、紫外線硬化樹脂に３０％（質量％）前後（例えば、２０％〜４０％）含有させることができる。
【００３２】
また、真珠母貝（例えば、アコヤ貝）を遺伝子操作することにより、金色、ピンク、黒色、青色、銀色などの色も発生させることができ、したがって、種々の真珠色の人工爪組成物１０を形成することができる。真珠母貝における当該遺伝子操作は、公知の技術を用いて行うことができ、遺伝子操作された真珠母貝を微細粒子に粉砕することで、所定の白の真珠粉末を得ることができる。真珠母貝（例えば、アコヤ貝）は、ごみとして廃棄処分されるものであるので、その有効利用となる。また、上述したように、真珠母貝の粉末に代えて（または、それとともに）、真珠の粒子（微粉末）を紫外線硬化樹脂に含有させてもよい。なお、宝石として使用できない形状や品質のそれほど高くない真珠を粉砕してその粒子を使用するのであれば、コスト的にも大きなものにならないようにすることができる。
【００３３】
次に、図２（ａ）から（ｃ）を参照しながら、使用者（ユーザ）５０の爪５２に、本実施形態の人工爪組成物１０を塗布して、爪５２の表面にジェルネイル（人工爪）１５を形成する工程を説明する。
【００３４】
まず、図２（ａ）に示すように、ハケまたは筆ペンのような塗布器具（蓋部）３５の先端部分（塗布部）３０に、本実施形態の人工爪組成物１０を付着させて、それを使用者（ユーザ）５０の爪５２の方に近づける。この例の人工爪組成物１０は、図１に示した容器１００に収納されている。
【００３５】
次いで、図２（ｂ）に示すように、塗布器具３５の先端部分３０に付着した人工爪組成物１０を爪５２に塗布していく。人工爪組成物１０を構成するジェル状の紫外線硬化樹脂が爪５２の上に位置して、被覆膜１５が形成される。図２（ｃ）に示すように、塗布が必要な指の爪（ここでは、全ての指の爪５２）に人工爪組成物１０を塗布した後、その被覆膜１５に紫外線ランプの光を照射することによって、被覆膜１５（すなわち、人工爪組成物１０）を硬化させることができる。すなわち、これによって、ジェルネイル（人工爪）ができる。被覆膜１５の厚さは、使用する人工爪組成物１０の溶液濃度、塗布量などに依存するが、例えば５ｍｍ以下（一例では、５ｍｍ〜０．０１ｍｍ程度）である。
【００３６】
本実施形態の人工爪組成物１０には、紫外線硬化樹脂に分散された真珠パウダーが入っているので、被覆膜１５およびそれが硬化したジェルネイルは真珠色になる。この真珠色は、天然由来の真珠のカラーであり、他のフェイクの真珠カラーとは相違する。
【００３７】
本実施形態の人工爪組成物１０における真珠パウダーの濃度は、例えば、０．１〜５０％（質量％）であり、それ以外は紫外線硬化樹脂である。他の例では、紫外線硬化樹脂とともに、香料、抗菌剤のうちの少なくとも一つを含有させることができる。また、人工爪組成物１０には、ジェルネイルの着色のための顔料を含ませることも可能であり、例えば、顔料（雲母やマイカなど光沢や輝きを出すラメ類を含む）を添加して、人工爪組成物１０から形成される被覆膜１５を真珠色だけでなく、有色透明、有色不透明などのものに変化させることができる。なお、人工爪組成物１０は、塗布後に蒸発する成分が含まれているので、人工爪組成物１０の状態における真珠パウダーの濃度はあくまで例示であり、被覆膜１５が形成できるのであれば、特に限定されるものではない。また、人工爪組成物１０には、他の機能性物質（例えば、香りを放つ香料のような物質など）を添加することが可能である。
【００３８】
なお、人工爪組成物１０は、すべての爪５２に塗布する場合の他、一部の爪５２だけに塗布することもできる。また、人工爪組成物１０は、一つの爪５２の全ての領域に塗布する場合の他、一つの爪５２の一部の領域（例えば、爪５２の先端側のみ）に塗布することも可能である。人工爪組成物１０は、爪５２にベースコートを塗布した状態で当該爪５２に塗布することができる。また、人工爪組成物１０を硬化させたジェルネイルの表面に、トップコートを塗布することも可能である。
【００３９】
加えて、この人工爪組成物１０から構成されたジェルネイル（または、被覆膜１５）とともに、ネイルストーン（不図示）を取り付けることも可能である。ネイルストーンは、被覆膜１５の表面に取り付けることができる。被覆膜１５を硬化させる前のジェル状態の時にネイルストーンを被覆膜１５に載せて、その後に、被覆膜１５を硬化させるとネイルストーンの取付けが便利である。ネイルストーンは、様々な材質や種類があり、形や色も様々であり、特に特定の種類・形状のものに限定されるものではない。ネイルストーンとしては、スワロフスキー（スワロフスキー社が製造しているストーン）、アクリルまたはガラスストーン（材質がアクリルまたはガラスからなるストーン）、パールストーン（真珠のように加工されたストーンであり、半球体のアクリルにパールカラーを加工したもの）、ブリオン（球体の小さな粒状のタイプのストーン）などを挙げることができる。
【００４０】
本願考案者が、本実施形態の人工爪組成物１０の抗菌試験を行ったところ、人工爪組成物１０に抗菌特性が認められた。この試験例の人工爪組成物１０における真珠パウダーの配合割合（質量％）は５０％以下であり、具体的には２０％である。この試験方法は、ＪＩＳ  Ｚ  ２８０１２０１０、５である。供試菌は、黄色ぶどう球菌（Staphylococcus aureus NBRC 12732）、大腸菌（Escherichia coli NBRC 3972）である。本実施形態の人工爪組成物１０では、黄色ぶどう球菌および大腸菌ともに抗菌性が認められた。なお、無加工試験片としてポリエチレンフィルムを使用した。
【００４１】
本実施形態の人工爪組成物１０の場合、黄色ぶどう球菌についての生菌数の常用対数値は＜−０．２０、抗菌活性値は＞４．８であり、抗菌性が認められた。黄色ぶどう球菌についての参考例の無加工試験片は菌液接種直後は４．１であり、２４時間培養後は４．７であり、抗菌性は認められなかった。また、本実施形態の人工爪組成物１０の場合、大腸菌についての生菌数の常用対数値は３．６、抗菌活性値は＞２．１であり、抗菌性が認められた。大腸菌についての参考例の無加工試験片は菌液接種直後は４．１であり、２４時間培養後は５．８であり、抗菌性は認められなかった。ここで、抗菌効果の認定基準として、抗菌活性値（静菌活性値）が２．１以上であることで利用することができる。なお、抗菌性を示すようジェルネイル用樹脂（紫外線硬化樹脂）に、本実施形態の真珠パウダーを添加した場合でも、その樹脂の抗菌性を妨げるような効果はなかった。
【００４２】
本実施形態の人工爪組成物１０が抗菌性を有することにより、本実施形態の人工爪組成物１０から形成された被覆膜１５（および硬化したジェルネイル）に抗菌性を持たせることができる。したがって、本実施形態の人工爪組成物１０から構成された人工爪（ジェルネイル）では、当該抗菌効果により、細菌（雑菌）の繁殖を抑制することができる。すなわち、本実施形態の人工爪組成物１０を用いた場合、爪５２の表面（ジェルネイルの表面）における雑菌が繁殖することを抑制ないし防止することができる。爪５２（ジェルネイルの表面）は、口に触れたり、眼球の周囲に触れたりすることがあり、爪５２の表面に雑菌が繁殖することは衛生的には好ましくない。特に、不衛生な爪で目をこすったりすると眼病の原因にもなりかねない。それゆえに、本実施形態のジェルネイルに抗菌性を持たせることによって、爪５２の雑菌繁殖を予防できることの衛生面での利点は大きい。
【００４３】
また、人工爪組成物１０の紫外線硬化樹脂に分散される真珠パウダーは、人体に無害の天然由来成分であるので、安全性に優れており、したがって、人工爪組成物１０を構成する紫外線硬化樹脂が人体に与える影響（悪影響）を越えて、真珠パウダーを含む人工爪組成物１０が人体に悪い影響を及ぼすことがない。なお、大腸菌及び黄色ブドウ球菌以外の雑菌の付着や繁殖は絶対に発生しないという保証はないため予期せぬ雑菌の付着や繁殖を抑制するため、そのパウダーはガス滅菌等の滅菌処理を施してから配合することが好ましい。
【００４４】
また、本実施形態の人工爪組成物１０は、ジェルネイルの本体部分として使用したが、人工爪組成物１０の抗菌性を利用して、人工爪組成物１０をベースコート及び／又はトップコートに使用することもできる。また、上述の説明では、主に、人工爪組成物１０を手の爪５２に塗布する場合の説明をしたが、それに限らず、足の爪に塗布しても構わない。さらには、人間の爪だけでなく、人工爪（つけ爪など）に塗布しても構わない。人工爪組成物１０からなる被覆膜１５を硬化させたものを、装飾済みの独自のつけ爪として、それを人間の爪に取り付けることも可能である。
【００４５】
加えて、本実施形態の人工爪組成物１０の抗菌性をさらに向上させるために、人工爪組成物１０他の抗菌材料を含有させることができる。そのような抗菌材料は銀イオン（Ａｇ＋）、酸化チタンなどを挙げることができる。好適な実施形態の一例では、人工爪組成物１０は、人工爪組成物１０は、紫外線硬化樹脂と真珠パウダーと抗菌材料（銀イオン）とから構成されている（必要に応じて、顔料が添加される）。人工爪組成物１０に更なる抗菌材料を含有させることにより、紫外線硬化樹脂の種類が変更になったり（特に、従来とは異なる新規の紫外線硬化樹脂を使用する場合）、真珠パウダーの量が変更になった場合でも、安定して、人工爪組成物１０から構成された被覆膜１５（ジェルネイル）に抗菌性を持たせることができる。
【００４６】
銀イオンを含有した人工爪組成物１０では、人工爪組成物１０の銀イオンの抗菌効果により、細菌（雑菌）の繁殖を抑制することができる。抗菌性を有する銀イオン（Ａｇ＋）は、例えば、銀イオン水、銀ナノ粒子などの形態で利用することができる。銀イオン（Ａｇ＋）は、原子としての銀（Ａｇ）から電子が外れた陽イオンとして存在している銀イオンのことであり、大きさは銀原子とほぼ同じで２００ピコメートル程度のいわゆる原子の大きさである。銀イオンは、例えば、銀を水中にて電気分解で溶出させることによって生成させることができる。銀イオン水の場合、銀イオンは水分子の中で単独遊離しており、基本的には水の中にイオン状態で存在する。銀イオンの主な製法としては、水中の純銀電極に電流を流して銀イオンを発生させる電気分解法と、銀イオン成分を含む化学薬品を水に添加する薬剤法の２種を挙げることができる。銀ナノ粒子は、銀をナノメートルのオーダーにした粒子である。また、鉱物であるアルミナシリカに微粒子化した銀イオンを保持させた銀ナノ粒子を用いることも可能である。
【００４７】
なお、銀イオンは、各種の細菌の細胞に強く吸着し、細菌の細胞酵素をブロッキングして死滅させることができる。したがって、銀イオンによって細菌の繁殖を制御することができる。また、銀イオンは、抗菌効果が比較的強い特徴を有するとともに、人体に対して極めて安全性が高いという特徴を有しており、したがって、人工爪組成物１０およびジェルネイルが間違って人間の口に入ったとしても、銀イオンによる問題は実質的に生じない。なお、銀イオンおよび真珠パウダーのいずれも、人体に対して安全性が高いので、その点で好適である。本実施形態の構成では、銀イオン（抗菌材料）を人工爪組成物１０中において１０％（質量％）以下にすることができ、典型的には５％（質量％）または５％程度にすることができる。
【００４８】
また、抗菌材料として銀イオン（Ａｇ＋）を配合した構成について説明したが、抗菌効果を奏する条件において、他の抗菌材料を人工爪組成物１０に配合することも可能である。例えば、銀イオンに代えて（または、銀イオンとともに）、酸化チタンを配合させることができるし、銀イオン、酸化チタン、そして、それ以外の抗菌材料（例えば、カテキン、キトサン、ヒノキチオール）を用いることも可能である。なお、酸化チタンは、ＵＶカット（紫外線カット）の特性を発揮させるために、人工爪組成物１０に含有させることが可能である。その他の抗菌材料としては、無機系抗菌剤（金属イオンの静菌作用を利用したもの）、有機系抗菌剤（有機物を利用した抗菌剤。合成系抗菌剤または天然系抗菌剤）を挙げることができる。
【００４９】
本実施形態の容器１００では、人工爪組成物１０を保持する容器本体部と、人工爪組成物１０を塗布する塗布部３０とを備え、人工爪組成物１０が紫外線硬化樹脂に分散された真珠パウダーを含有している。したがって、本実施形態の容器１００における塗布部３０によって、真珠パウダーからなる真珠色の人工爪（ジェルネイル）を形成することができる。そして、真珠パウダーが分散された紫外線硬化樹脂からなる人工爪（ジェルネイル）は抗菌性を示すので、人工爪（ジェルネイル）を形成した状態で生じる雑菌の繁殖やカビの発生を抑制することができる。また、真珠及び真珠母貝は天然のカルシウムであるため、その配合量を増やすほど爪に対する悪影響は低減し、従来のジェルネイルよりも爪が傷みにくくなることを低減することができる。
【００５０】
紫外線または可視光線の照射によって硬化する人工爪（ジェルネイル）の分野においては、爪水虫や雑菌繁殖、カビの発生などが問題として挙がることがあるが、抗菌素材のジェルネイルは販売ないし普及されていないのが実情であった。本実施形態の構成においては、真珠パウダーを含有する人工爪組成物１０によって、天然の真珠色のジェルネイルを構築するとともに、抗菌性を発揮させている。爪水虫や雑菌繁殖、カビの発生などが問題は、自爪とジェルネイルとの間に隙間が生じ、そこに雑菌が繁殖することによるものと考えられているが、本実施形態の構成では、人工爪組成物（ジェルネイル組成物）１０自体が抗菌性を有しているので、そのような隙間における雑菌（またはカビ）の繁殖を抑制することができる。したがって、ジェルネイルの業界におけるジェルネイルをつける前にきれいにする、使用する器具を清潔にする、カビが生えにくい構造のものを使用する、爪水虫の治療薬を使用する等とは違って、爪水虫や雑菌繁殖、カビ発生などの問題に対してより直接的な処置を簡便に施すことができる。
【００５１】
また、本願考案者は、真珠パウダー（例えば、シロチョウ貝由来のパウダー）を含有する人工爪組成物１０が化学物質（揮発性有機化合物）の量を低減できる効果もあることを実験により確認した。この化学物質の量の軽減については、本実施形態の人工爪組成物１０に対してホルムアルデヒド試験を実行することで確認することができる。具体的には、人工爪組成物１０を、４０℃の精製水１００ｍｌによって１時間抽出し、ＪＩＳ  Ｌ−１０４１：２０００（樹脂加工織物及び織物の試験方法  ６．３  遊離ホルムアルデヒド試験、６．３．１  液相抽出法  ｂ）アセチルアセトン法  Ｂ法）の方法に準じて処理し、吸光度を測定することによって行うことができる。
【００５２】
本実施形態の人工爪組成物１０によって、化学物質（揮発性有機化合物）の発生を抑制することができると、本実施形態の容器１００から外にでる揮発性有機化合物の量を低減することができる。その結果、人工爪組成物１０を使用して爪５２に塗布する施術者、および／または、人工爪組成物１０を塗布される爪５２を持った使用者に、揮発性有機化合物による臭いの不快感を低減させることができる。
【００５３】
加えて、人工爪組成物１０に、遠赤外線を発する遠赤外線放射材料を含有させることができる。遠赤外線放射材料は、例えば、セラミック、炭（備長炭など）を挙げることができる。人工爪組成物１０に遠赤外線放射材料を含有させることにより、人工爪組成物１０から形成されたジェルネイルから遠赤外線を放射させることができる。したがって、この遠赤外線によって血行を促進させることができるという効果を得ることができる。本実施形態の構成では、遠赤外線放射材料を、人工爪組成物１０（または被覆膜１５）中において１０％（質量％）前後（例えば、５％〜２０％）に含有させることができる。
【００５４】
また、人工爪組成物１０に、天然石などのパワーストーンを粉末にしたパワーストーン粉末を含有させることも可能である。パワーストーンとは、宝石（貴石・半貴石）の中でもある種の特殊な力が宿っていると考えられている石のことである。パワーストーンの範囲は、基本的に宝石類であるが、それに限らず、鼈甲や象牙のような生物材料、金・銀のような貴金属、銅のような卑金属、化石類、岩塩のような食品材料までがパワーストーンとして用いられることがある。本実施形態の人工爪組成物１０に含有されるパワーストーン粉末の一例としては、ヒスイ粉末、水晶粉末などである。当該パワーストーン粉末を含有する人工爪組成物１０を用いたジェルネイルによれば、爪５２にパワーストーンのコーティングを塗布することができ、また、パワーストーン粉末の色彩を顔料として使用することも可能である。例えば、金粉を人工爪組成物１０に含有させることにより、金粉入りの真珠色のジェルネイルを構築することも可能である。
【００５５】
さらに、人工爪組成物１０に香料を含有させることも可能である。人工爪組成物１０を構成する紫外線硬化樹脂に香料を含有させても香りがしない場合には、有機溶媒には溶けずに物理的な圧力によって香りがでるナノカプセル（カプセル内に香料が包摂されている）を分散させるような手法をとることができる。特に液体の香料を紫外線硬化樹脂に分散させても、人工爪組成物１０から香りがしない場合があり得るが、このようなナノカプセルを用いれば、爪５２の表面からカプセルが割れてそこから放たれた香料の香りを生じさせることができる。
【００５６】
上述した実施形態においては、図１に示すような容器１００の構成のものを示したが、本考案の容器はそのようなものに限られない。例えば、容器１００における蓋部３５の一部に塗布部３０が取り付けられたものに限らず、塗布部３０は、蓋部３５とは別体で形成されていても構わない。また、加えて、本考案の容器１００は、図３に示すようなペンタイプの構成を有するものであってもよい。
【００５７】
図３に示した容器１００では、人工爪組成物１０を収容する容器本体部４０は、円筒形状を有している。塗布部４２は、容器本体部４０から延びた円錐部４３の先端に配置されている。この例では、塗布部４２は、筆ペンの先の筆部のような構成となっている。容器本体部４０の内部と塗布部４２とは繋がっており、容器本体部４０の内部に収納された人工爪組成物１０は、順次、塗布部４２に供給されていく。人工爪組成物１０が順次供給される塗布部４２によって、爪５２に人工爪組成物１０を塗布することができる。
【００５８】
容器本体部４０の後端には、容器本体部４０の後端開口部を封止する封止部（有底円筒部材）４７が設けられている。封止部４７を外すと、容器本体部４０の後端開口部が露出し、その後端開口部から人工爪組成物１０を充填することができる。また、図示した構成例では、円錐部４３および塗布部（筆部）４２を収容するキャップ部４５が取り付けられるようになっている。この例では、円錐部４３の外面と、キャップ部４５の内面とにネジ部（４３ａ、４５ａ）が形成されており、キャップ部４５を円錐部４３に対して回転させることにより、両者を嵌合させることができる。
【００５９】
キャップ部４５は、円錐部４３に回転させて嵌め込む方式でなく、容器本体部４０の長軸方向に沿って入れ込むことで固定できる方式であっても構わない。また、封止部４７は、容器本体部４０に対してねじ切りの回転方式で固定してもよいし、他の方式（例えば、容器本体部４０の長軸方向に沿って差し込む方式）で固定してもよい。図３に示した容器１００では、容器本体部４０は円筒形のものを示したが、それに限らず、他の形態のもの（六角筒など）を採用することも可能である。
【００６０】
図３に示したペンタイプの容器１００では、人工爪組成物１０に含まれている真珠パウダーが連続して塗布部４２に供給できるように、容器本体部４０から塗布部４２への供給通路の部材（例えば、多孔質部材）を設計しておくことが求められる。真珠パウダーの粒径が３００μｍ以下であると顔料と同じレベルの粒径になるので、ペンタイプの容器１００の塗布部４２に供給することが容易となる。本実施形態の一例では、真珠パウダーの粒径は３μｍ程度にすることができ、その場合は、それを通過させるための、容器本体部４０から塗布部４２への供給通路の部材を簡便に作製することができる。本実施形態の容器本体部４０は、樹脂製であるが、容器本体部４０を透明なものにして、中に収納されている人工爪組成物１０が見えるようにしてもよい。または、容器本体部４０は不透明な材料から構成して、容器本体部４０の一部を透明にして、人工爪組成物１０の残量がわかるような構成にすることも可能である。
【００６１】
このペンタイプの容器１００では、連続して人工爪組成物１０を爪５２に塗布することができるので、便利である。また、容器１００が細長の形状であるので、収納スペースを大きくとらないので、保管や持ち運びが便利である。
【００６２】
また、図１に示した容器１００において、図４に示すように容器本体部２０の内部に真珠６０を沈めておくことも可能である。このように真珠６０を入れておくことにより、人工爪組成物１０中の真珠パウダーの分散が良くなるとともに、真珠６０による美的外観の向上を図ることができる。また、真珠６０ではなく、パワーストーンのようなものを入れていくことも可能である。
【産業上の利用可能性】
【００６３】
本考案によれば、新規な人工爪組成物（ジェルネイル組成物）が収容された容器（人工爪組成物用容器）を提供することができる。
【符号の説明】
【００６４】
１０   人工爪組成物
１５   被覆膜
２０   容器本体部
２４   ビン口部
２５   開口部
３０   塗布部
３２   支持棒
３５   蓋部（塗布器具）
４０   容器本体部
４２   塗布部
４３   円錐部
４５   キャップ部
４７   封止部
５２   爪
６０   真珠
１００ 容器
【図１】
0003173169.tif 000003
【図２】
0003173169.tif 000004
【図３】
0003173169.tif 000005
【図４】
0003173169.tif 000006